(57)【特許請求の範囲】
【請求項１】
送信用アレイアンテナと受信用アレイアンテナを含むアンテナ装置における受信データの較正方法であって、
前記送信用アレイアンテナは、電磁波を物体に向けて放射する、等間隔で複数配列した送信アンテナを含み、
前記受信用アレイアンテナは、前記物体で反射した電磁波を受信する、前記送信アンテナの配列方向に沿って前記等間隔で配列し、かつ前記受信アンテナが前記送信アンテナに対して前記等間隔の半分だけ位置ずれしている受信アンテナを含み、
測定対象物を前記物体として、前記送信用アレイアンテナによる送信と、前記受信用アレイアンテナによる受信とにより、前記送信アンテナと前記受信アンテナの全ての組み合わせに対応した測定用の受信データであって、前記送信アンテナそれぞれの送信周波数特性と前記受信アンテナそれぞれの受信周波数特性と、前記測定対象物で反射した前記電磁波の反射信号を含んだ測定受信データの群を取得するステップと、
較正部材を前記物体として、前記送信用アレイアンテナによる送信と、前記受信用アレイアンテナによる受信とにより、前記送信アンテナと前記受信アンテナの全ての組み合わせに対応した較正用の受信データであって、前記送信アンテナそれぞれの送信周波数特性と前記受信アンテナそれぞれの受信周波数特性と、前記較正部材で反射した前記電磁波の反射信号を含んだ較正受信データの群を取得するステップと、
前記較正受信データの群を用いて前記測定受信データを較正するステップと、を含み、
前記測定受信データを較正するステップは、
前記送信アンテナ及び前記受信アンテナのうち、最も配置位置の近い送信アンテナと受信アンテナの近接ペアの１つを基準ペアとし、
前記測定受信データに含まれる前記送信周波数特性及び前記受信周波数特性を除去するために前記送信アンテナと前記受信アンテナの全ての組み合わせに対応した複数の較正データ要素によって構成され、前記較正データ要素はいずれも、前記基準ペアにおける前記電磁波の反射信号と、前記送信アンテナと前記受信アンテナの全ての組み合わせそれぞれに対応した前記送信周波数特性と前記受信周波数特性と、を乗算した値を有する較正データを、前記較正受信データから作成すること、及び
前記測定受信データから、前記較正データを用いて、前記測定受信データに含まれる前記送信周波数特性及び前記受信周波数特性を除去することにより、前記測定受信データを較正すること、を含む、ことを特徴とする受信データの較正方法。
【請求項２】
送信用アレイアンテナと受信用アレイアンテナを含むアンテナ装置における受信データの較正方法であって、
前記送信用アレイアンテナは、電磁波を物体に向けて放射する、等間隔で複数配列した送信アンテナを含み、
前記受信用アレイアンテナは、前記物体で反射した電磁波を受信する、前記送信アンテナの配列方向に沿って前記等間隔で配列し、かつ前記受信アンテナが前記送信アンテナに対して前記等間隔の半分だけ位置ずれしている受信アンテナを含み、
測定対象物を前記物体として、前記送信用アレイアンテナによる送信と、前記受信用アレイアンテナによる受信とにより、前記送信アンテナと前記受信アンテナの全ての組み合わせに対応した測定用の受信データであって、前記送信アンテナそれぞれの送信周波数特性と前記受信アンテナそれぞれの受信周波数特性と、前記測定対象物で反射した前記電磁波の反射信号を含んだ測定受信データの群を取得するステップと、
較正部材を前記物体として、前記送信用アレイアンテナによる送信と、前記受信用アレイアンテナによる受信とにより、前記送信アンテナと前記受信アンテナの全ての組み合わせに対応した較正用の受信データであって、前記送信アンテナそれぞれの送信周波数特性と前記受信アンテナそれぞれの受信周波数特性と、前記較正部材で反射した前記電磁波の反射信号を含んだ較正受信データの群を取得するステップと、
前記較正受信データの群を用いて前記測定受信データを較正するステップと、を含み、
前記測定受信データを較正するステップは、
前記送信アンテナ及び前記受信アンテナのうち、最も配置位置の近い送信アンテナと受信アンテナの近接ペアの１つを基準ペアとし、前記基準ペアにおける前記電磁波の反射信号と、前記送信アンテナと前記受信アンテナの全ての組み合わせに対応した前記送信周波数特性及び前記受信周波数特性のそれぞれと、を含んだ較正データを、前記較正受信データから作成すること、
前記測定受信データから、前記較正データを用いて、前記測定受信データに含まれる前記送信周波数特性及び前記受信周波数特性を除去することにより、前記測定受信データを較正すること、を含み、
前記受信アンテナ及び前記送信アンテナのそれぞれを、前記受信アンテナＲｉ（ｉは１以上Ｎ以下の自然数であり、Ｎは２以上の自然数）及び前記送信アンテナＴｊ（ｊは１以上Ｎ以下の自然数）で表し、前記較正受信データをＰ’ijとしたとき、前記受信アンテナＲｉ及び前記送信アンテナＴjの組み合わせにおける前記較正データは、
(ａ)ｉ＋１＜ｊのとき、{Ｐ’i(i+1)・Ｐ’(i+1)(i+2)・…・Ｐ’(j-1)j}／｛Ｐ’(i+1)(i+1)・Ｐ’(i+2)(i+2)・…・Ｐ’(j-1)(j-1）｝であり、
（ｂ）ｉ＋１＝ｊあるいはｉ＝ｊのとき、Ｐ’ijであり、
（ｃ）ｉ＞ｊのとき、{Ｐ’jj・Ｐ’(j+1)(j+1)・…・Ｐ’ii}／｛Ｐ’j(j+1)・Ｐ’(j+1)(j+2)・…・Ｐ’(i-1)i｝である、
ことを特徴とする受信データの較正方法。
【請求項３】
前記較正部材の、前記送信用アレイアンテナ及び前記受信用アレイアンテナから離間させて配置する離間距離は、前記送信用アレイアンテナ及び前記受信用アレイアンテナの全幅に比べて短い、請求項１または２に記載の較正方法。
【請求項４】
前記測定受信データ及び前記較正受信データは、前記送信アンテナの放射した電磁波を前記物体の反射を経ることなく直接前記受信アンテナで受信することにより得られるアンテナ間結合信号を除去したデータであり、
前記物体を設けることなく、前記送信用アレイアンテナの送信及び前記受信用アレイアンテナの受信を行なうことにより、前記アンテナ間結合信号を得るステップを、さらに有する、請求項１〜３のいずれか１項に記載の較正方法。
【請求項５】
前記較正受信データは、前記較正部材と前記送信アンテナあるいは前記受信アンテナとの間の多重反射成分を、時間領域のウィンドウ関数を用いて時間軸上で抑制するゲート処理を施したデータである、請求項１〜４のいずれか１項に記載の較正方法。
【請求項６】
前記較正するステップでは、前記測定受信データに含まれる前記送信周波数特性及び前記受信周波数特性を除去するとき、前記基準ペアの送信アンテナと前記較正部材との間の前記電磁波の伝播距離と、前記基準ペアの受信アンテナと前記較正部材との間の前記電磁波の伝播距離との合計によって生じる前記電磁波の位相遅れ成分も除去する、請求項１〜５のいずれか１項に記載の較正方法。
【請求項７】
送信アンテナが等間隔で複数配列し、電磁波を物体に向けて放射する送信用アレイアンテナと、
受信アンテナが、前記送信用アレイアンテナの配列方向に沿って前記等間隔で複数配列し、かつ前記送信アンテナに対して前記等間隔の半分だけ位置ずれし、前記物体から反射した電磁波を受信する受信用アレイアンテナと、
前記複数の送信アンテナによる前記物体に向けた送信と、前記複数の受信アンテナによる受信により得られる複数の受信データを用いて前記物体に関する３次元画像データを取得する信号処理部と、
前記３次元画像データを用いて３次元画像を生成する画像表示部と、
較正部材を前記物体として、前記送信用アレイアンテナによる前記較正部材に向けた送信と、前記受信用アレイアンテナによる受信とを行なうことにより得られる、前記送信アンテナと前記受信アンテナの全ての組み合わせに対応した較正用の受信データであって、前記送信アンテナそれぞれの送信周波数特性と前記受信アンテナそれぞれの受信周波数特性と、前記電磁波の反射信号を含んだ較正受信データの群を記憶する第１記憶部と、
測定対象物を前記物体として、前記送信用アレイアンテナによる前記測定対象物に向けた送信と、前記受信用アレイアンテナによる受信とを行うことにより得られる、前記送信アンテナと前記受信アンテナの全ての組み合わせに対応した測定用の受信データであって、前記送信アンテナの送信周波数特性と前記受信アンテナの受信周波数特性と、前記電磁波の反射信号を含んだ測定受信データの群を記憶する第２記憶部と、を有し、
前記信号処理部は、
前記送信アンテナ及び前記受信アンテナのうち、最も配置位置の近い送信アンテナと受信アンテナの近接ペアの１つを基準ペアとし、前記測定受信データに含まれる前記送信周波数特性及び前記受信周波数特性を除去するために前記送信アンテナと前記受信アンテナの全ての組み合わせに対応した複数の較正データ要素によって構成され、前記較正データ要素はいずれも、前記基準ペアにおける前記電磁波の反射信号と、前記送信アンテナと前記受信アンテナの全ての組み合わせそれぞれに対応した前記送信周波数特性と前記受信周波数特性と、を乗算した値を有する較正データを、前記較正受信データから作成する第１部分と、
前記測定受信データから、前記較正データを用いて、前記基準ペアにおける前記送信周波数特性及び前記受信周波数特性を除去することにより、前記測定受信データを較正する第２部分と、を有することを特徴とするレーダ装置。
【請求項８】
前記信号処理部は、前記較正部材と前記送信アンテナあるいは前記受信アンテナとの間の多重反射成分を時間軸上で抑制するように、前記較正受信データにゲート処理を施す時間領域のウィンドウ関数を備える、請求項７に記載のレーダ装置。
【請求項９】
送信アンテナが等間隔で複数配列し、電磁波を物体に向けて放射する送信用アレイアンテナと、
受信アンテナが、前記送信用アレイアンテナの配列方向に沿って前記等間隔で複数配列し、かつ前記送信アンテナに対して前記等間隔の半分だけ位置ずれし、前記物体から反射した電磁波を受信する受信用アレイアンテナと、
前記複数の送信アンテナによる前記物体に向けた送信と、前記複数の受信アンテナによる受信により得られる複数の受信データを用いて前記物体に関する３次元画像データを取得する信号処理部と、
前記３次元画像データを用いて３次元画像を生成する画像表示部と、
較正部材を前記物体として、前記送信用アレイアンテナによる前記較正部材に向けた送信と、前記受信用アレイアンテナによる受信とを行なうことにより得られる、前記送信アンテナと前記受信アンテナの全ての組み合わせに対応した較正用の受信データであって、前記送信アンテナそれぞれの送信周波数特性と前記受信アンテナそれぞれの受信周波数特性と、前記電磁波の反射信号を含んだ較正受信データの群を記憶する第１記憶部と、
測定対象物を前記物体として、前記送信用アレイアンテナによる前記測定対象物に向けた送信と、前記受信用アレイアンテナによる受信とを行うことにより得られる、前記送信アンテナと前記受信アンテナの全ての組み合わせに対応した測定用の受信データであって、前記送信アンテナの送信周波数特性と前記受信アンテナの受信周波数特性と、前記電磁波の反射信号を含んだ測定受信データの群を記憶する第２記憶部と、を有し、
前記信号処理部は、
前記送信アンテナ及び前記受信アンテナのうち、最も配置位置の近い送信アンテナと受信アンテナの近接ペアの１つを基準ペアとし、前記基準ペアにおける前記電磁波の反射信号と、前記送信アンテナと前記受信アンテナの全ての組み合わせに対応した前記送信周波数特性及び前記受信周波数特性のそれぞれと、を含んだ較正データを、前記較正受信データから作成する第１部分と、
前記測定受信データから、前記較正データを用いて、前記基準ペアにおける前記送信周波数特性及び前記受信周波数特性を除去することにより、前記測定受信データを較正する第２部分と、を有し、
前記第１部分は、前記受信アンテナ及び前記送信アンテナのそれぞれを、前記受信アンテナＲｉ（ｉは１以上Ｎ以下の自然数であり、Ｎは２以上の自然数）及び前記送信アンテナＴｊ（ｊは１以上Ｎ以下の自然数）で表し、前記較正受信データをＰ’ijとしたとき、前記受信アンテナＲｉ及び前記送信アンテナＴjの組み合わせにおける前記較正データＰ”ijを、下記（ａ）〜（ｃ）に従がって作成し、前記（ａ）〜（ｃ）は、
(ａ)ｉ＋１＜ｊのとき、Ｐ”ij ={Ｐ’i(i+1)・Ｐ’(i+1)(i+2)・…・Ｐ’(j-1)j}／｛Ｐ’(i+1)(i+1)・Ｐ’(i+2)(i+2)・…・Ｐ’(j-1)(j-1）｝、
（ｂ）ｉ＋１＝ｊあるいはｉ＝ｊのとき、Ｐ”ij =Ｐ’ij、
（ｃ）ｉ＞ｊのとき、Ｐ”ij ={Ｐ’jj・Ｐ’(j+1)(j+1)・…・Ｐ’ii}／｛Ｐ’j(j+1)・Ｐ’(j+1)(j+2)・…・Ｐ’(i-1)i｝
である、ことを特徴とするレーダ装置。
【請求項１０】
前記レーダ装置に対して、前記測定対象物は相対的に移動し、
前記送信アンテナの配列方向及び前記受信アンテナの配列方向は、前記測定対象物の相対的な移動方向に対して直交する方向である、請求項７〜９のいずれか１項に記載のレーダ装置。
【発明の詳細な説明】
【技術分野】
【０００１】
本発明は、送信用アレイアンテナと受信用アレイアンテナを用いて得られる受信データの較正方法及びレーダ装置に関する。
【背景技術】
【０００２】
従来より、コンクリートや木材等の非金属の構造物の内部を非破壊で検査する方法として、３次元映像化レーダ装置が用いられている。この３次元映像化レーダ装置は、複数の受信アンテナにより計測したデータをマイグレーション処理することにより、構造体の内部の３次元映像化を行う。検知できる対象は、構造物内のギャップ、空洞、金属物、導電率や誘電率が異なる領域等を含む。
【０００３】
３次元映像化レーダ装置の一例として、平面アンテナを用いた送信用アレイアンテナ及び受信用アレイアンテナを備えたレーダ装置が知られている（特許文献１）。
上記レーダ装置では、得られた受信データの信号処理を行って３次元画像情報を取得するが、どのような信号処理を行って受信データの較正をするかについては開示されていない。受信データの較正を行わなければ、データには送信アンテナの周波数特性及び受信アンテナの周波数特性が少なくとも含まれているので、３次元画像は不鮮明になり、構造物内のギャップ、空洞、金属物等が十分に識別できない。
【先行技術文献】
【特許文献】
【０００４】
【特許文献１】特開２０１５−９５８４０号公報
【発明の概要】
【発明が解決しようとする課題】
【０００５】
３次元画像を鮮明にするために、板状の較正部材を用いて送信アンテナの周波数特性及び受信アンテナの周波数特性を含まないように較正が行われている。具体的には、まず、送信用アレイアンテナと受信用アレイアンテナの前面に較正部材を配置して受信用アレイアンテナで受信した信号から較正受信データを得る。この後、送信用アレイアンテナ及び受信用アレイアンテナで測定対象物を計測して得られる計測用受信データを、上記較正受信データで割り算することにより、送信用アレイアンテナの各送信アンテナ及び受信用アレイアンテナの各受信アンテナの周波数特性、アンテナ間結合信号が除去された、測定対象物で反射した電磁波の信号を取得することができる。しかし、この時、較正受信データは、以下の問題が生じる。
【０００６】
較正部材の反射波をから得られる較正受信データは、電磁波の輻射減衰、送信アンテナ、受信アンテナの指向性、較正部材からの反射率の反射角特性を含み、送信用アレイアンテナ内の送信アンテナと受信用アレイアンテナ内の受信アンテナの組み合わせによって異なった値を示す関数である。しかも、この関数は理論的に求めることはできない。このため値が送信アンテナと受信アンテナの組み合わせに依存しない較正受信データを取得するには、送信アンテナと受信アンテナの組み合わせにおいて、電磁波の輻射減衰、アンテナの指向性、較正部材からの反射率の反射角特性の違いがほとんどなくなるように、送信用アレイアンテナ及び受信用アレイアンテナから較正部材までの離間距離を長くして較正用部材の計測を行う必要がある。具体的には、上記離間距離は、送信用アレイアンテナ及び受信用アレイアンテナのアレイ方向の長さの１０倍程度にしなければならない。すなわち、電磁波の輻射減衰、送信アンテナ、受信アンテナの指向性、較正部材からの反射率の反射角特性が送信アンテナと受信アンテナの組み合わせに依存しない較正受信データを取得するためには、送信用アレイアンテナ、受信用アレイアンテナから遠い位置に較正部材を配置しなければならない。
【０００７】
すなわち、電磁波の輻射減衰、送信アンテナ、受信アンテナの指向性、較正部材からの反射率の反射角特性が送信アンテナと受信アンテナの組み合わせに依存しない較正受信データを取得するためには、広い空間が必要である他、上記離間距離を大きくするために、較正部材からの反射波が輻射減衰により大きく低下しＳ／Ｎ比が低下するといった問題が生じる。このため、電波暗室を利用して較正受信データを取得することことも考えられるが、電波暗室を準備しなければならず、較正が煩雑になる。
【０００８】
そこで、本発明は、較正のために、広い空間を用いて較正部材を計測することなく、測定対象物で反射した電磁波の信号をＳ／Ｎ比を低下させることなく算出することができる受信データの較正方法、及びその較正方法を用いて３次元画像を生成するレーダ装置を提供することを目的とする。
【課題を解決するための手段】
【０００９】
本発明の一態様は、送信用アレイアンテナと受信用アレイアンテナを含むアンテナ装置における受信データの較正方法である。
前記送信用アレイアンテナは、電磁波を物体に向けて放射する、等間隔で複数配列した送信アンテナを含み、
前記受信用アレイアンテナは、前記物体で反射した電磁波を受信する、前記送信アンテナの配列方向に沿って前記等間隔で配列し、かつ前記受信アンテナが前記送信アンテナに対して前記等間隔の半分だけ位置ずれしている受信アンテナを含む。
当該方法は、
測定対象物を前記物体として、前記送信用アレイアンテナによる送信と、前記受信用アレイアンテナによる受信とにより、前記送信アンテナと前記受信アンテナの全ての組み合わせに対応した測定用の受信データであって、前記送信アンテナそれぞれの送信周波数特性と前記受信アンテナそれぞれの受信周波数特性と、前記測定対象物で反射した前記電磁波の反射信号を含んだ測定受信データの群を取得するステップと、
較正部材を前記物体として、前記送信用アレイアンテナによる送信と、前記受信用アレイアンテナによる受信とにより、前記送信アンテナと前記受信アンテナの全ての組み合わせに対応した較正用の受信データであって、前記送信アンテナそれぞれの送信周波数特性と前記受信アンテナそれぞれの受信周波数特性と、前記較正部材で反射した前記電磁波の反射信号を含んだ較正受信データの群を取得するステップと、
前記較正受信データの群を用いて前記測定受信データを較正するステップと、を含み、
前記測定受信データを較正するステップは、
前記送信アンテナ及び前記受信アンテナのうち、最も配置位置の近い送信アンテナと受信アンテナの近接ペアの１つを基準ペアとし、
前記測定受信データに含まれる前記送信周波数特性及び前記受信周波数特性を除去するために前記送信アンテナと前記受信アンテナの全ての組み合わせに対応した複数の較正データ要素によって構成され、前記較正データ要素はいずれも、前記基準ペアにおける前記電磁波の反射信号と、前記送信アンテナと前記受信アンテナの全ての組み合わせそれぞれに対応した前記送信周波数特性と前記受信周波数特性と、を乗算した値を有する較正データを、前記較正受信データから作成すること、及び
前記測定受信データから、前記較正データを用いて、前記測定受信データに含まれる前記送信周波数特性及び前記受信周波数特性を除去することにより、前記測定受信データを較正すること、を含む。
【００１０】
本発明の一態様も、送信用アレイアンテナと受信用アレイアンテナを含むアンテナ装置における受信データの較正方法である。
前記送信用アレイアンテナは、電磁波を物体に向けて放射する、等間隔で複数配列した送信アンテナを含み、
前記受信用アレイアンテナは、前記物体で反射した電磁波を受信する、前記送信アンテナの配列方向に沿って前記等間隔で配列し、かつ前記受信アンテナが前記送信アンテナに対して前記等間隔の半分だけ位置ずれしている受信アンテナを含む。
当該方法は、
測定対象物を前記物体として、前記送信用アレイアンテナによる送信と、前記受信用アレイアンテナによる受信とにより、前記送信アンテナと前記受信アンテナの全ての組み合わせに対応した測定用の受信データであって、前記送信アンテナそれぞれの送信周波数特性と前記受信アンテナそれぞれの受信周波数特性と、前記測定対象物で反射した前記電磁波の反射信号を含んだ測定受信データの群を取得するステップと、
較正部材を前記物体として、前記送信用アレイアンテナによる送信と、前記受信用アレイアンテナによる受信とにより、前記送信アンテナと前記受信アンテナの全ての組み合わせに対応した較正用の受信データであって、前記送信アンテナそれぞれの送信周波数特性と前記受信アンテナそれぞれの受信周波数特性と、前記較正部材で反射した前記電磁波の反射信号を含んだ較正受信データの群を取得するステップと、
前記較正受信データの群を用いて前記測定受信データを較正するステップと、を含み、
前記測定受信データを較正するステップは、
前記送信アンテナ及び前記受信アンテナのうち、最も配置位置の近い送信アンテナと受信アンテナの近接ペアの１つを基準ペアとし、前記基準ペアにおける前記電磁波の反射信号と、前記送信アンテナと前記受信アンテナの全ての組み合わせに対応した前記送信周波数特性及び前記受信周波数特性のそれぞれと、を含んだ較正データを、前記較正受信データから作成すること、
前記測定受信データから、前記較正データを用いて、前記測定受信データに含まれる前記送信周波数特性及び前記受信周波数特性を除去することにより、前記測定受信データを較正すること、を含み、
前記受信アンテナ及び前記送信アンテナのそれぞれを、前記受信アンテナＲｉ（ｉは１以上Ｎ以下の自然数であり、Ｎは２以上の自然数）及び前記送信アンテナＴｊ（ｊは１以上Ｎ以下の自然数）で表し、前記較正受信データをＰ’ijとしたとき、前記受信アンテナＲｉ及び前記送信アンテナＴjの組み合わせにおける前記較正データは、
(ａ)ｉ＋１＜ｊのとき、{Ｐ’i(i+1)・Ｐ’(i+1)(i+2)・…・Ｐ’(j-1)j}／｛Ｐ’(i+1)(i+1)・Ｐ’(i+2)(i+2)・…・Ｐ’(j-1)(j-1）｝であり、
（ｂ）ｉ＋１＝ｊあるいはｉ＝ｊのとき、Ｐ’ijであり、
（ｃ）ｉ＞ｊのとき、{Ｐ’jj・Ｐ’(j+1)(j+1)・…・Ｐ’ii}／｛Ｐ’j(j+1)・Ｐ’(j+1)(j+2)・…・Ｐ’(i-1)i｝である。
【００１１】
前記較正部材の、前記送信用アレイアンテナ及び前記受信用アレイアンテナから離間させて配置する離間距離は、前記送信用アレイアンテナ及び前記受信用アレイアンテナの全幅に比べて短い、ことが好ましい。
【００１２】
前記測定受信データ及び前記較正受信データは、前記送信アンテナの放射した電磁波を前記物体の反射を経ることなく直接前記受信アンテナで受信することにより得られるアンテナ間結合信号を除去したデータであり、
前記較正方法は、前記物体を設けることなく、前記送信用アレイアンテナの送信及び前記受信用アレイアンテナの受信を行なうことにより、前記アンテナ間結合信号を得るステップを、さらに有する、ことが好ましい。
【００１３】
前記較正受信データは、前記較正部材と前記送信アンテナあるいは前記受信アンテナとの間の多重反射成分を、時間領域のウィンドウ関数を用いて時間軸上で抑制するゲート処理を施したデータである、ことが好ましい。
【００１４】
前記較正するステップでは、前記測定受信データに含まれる前記送信周波数特性及び前記受信周波数特性を除去するとき、前記基準ペアの送信アンテナと前記較正部材との間の前記電磁波の伝播距離と、前記基準ペアの受信アンテナと前記較正部材との間の前記電磁波の伝播距離との合計によって生じる前記電磁波の位相遅れ成分も除去する、ことが好ましい。
【００１５】
本発明の他の一態様はレーダ装置である。当該レーダ装置は、
送信アンテナが等間隔で複数配列し、電磁波を物体に向けて放射する送信用アレイアンテナと、
受信アンテナが、前記送信用アレイアンテナの配列方向に沿って前記等間隔で複数配列し、かつ前記送信アンテナに対して前記等間隔の半分だけ位置ずれし、前記物体から反射した電磁波を受信する受信用アレイアンテナと、
前記複数の送信アンテナによる前記物体に向けた送信と、前記複数の受信アンテナによる受信により得られる複数の受信データを用いて前記物体に関する３次元画像データを取得する信号処理部と、
前記３次元画像データを用いて３次元画像を生成する画像表示部と、
較正部材を前記物体として、前記送信用アレイアンテナによる前記較正部材に向けた送信と、前記受信用アレイアンテナによる受信とを行なうことにより得られる、前記送信アンテナと前記受信アンテナの全ての組み合わせに対応した較正用の受信データであって、前記送信アンテナそれぞれの送信周波数特性と前記受信アンテナそれぞれの受信周波数特性と、前記電磁波の反射信号を含んだ較正受信データの群を記憶する第１記憶部と、
測定対象物を前記物体として、前記送信用アレイアンテナによる前記測定対象物に向けた送信と、前記受信用アレイアンテナによる受信とを行うことにより得られる、前記送信アンテナと前記受信アンテナの全ての組み合わせに対応した測定用の受信データであって、前記送信アンテナの送信周波数特性と前記受信アンテナの受信周波数特性と、前記電磁波の反射信号を含んだ測定受信データの群を記憶する第２記憶部と、を有し、
前記信号処理部は、
前記送信アンテナ及び前記受信アンテナのうち、最も配置位置の近い送信アンテナと受信アンテナの近接ペアの１つを基準ペアとし、前記測定受信データに含まれる前記送信周波数特性及び前記受信周波数特性を除去するために前記送信アンテナと前記受信アンテナの全ての組み合わせに対応した複数の較正データ要素によって構成され、前記較正データ要素はいずれも、前記基準ペアにおける前記電磁波の反射信号と、前記送信アンテナと前記受信アンテナの全ての組み合わせそれぞれに対応した前記送信周波数特性と前記受信周波数特性と、を乗算した値を有する較正データを、前記較正受信データから作成する第１部分と、
前記測定受信データから、前記較正データを用いて、前記基準ペアにおける前記送信周波数特性及び前記受信周波数特性を除去することにより、前記測定受信データを較正する第２部分と、を有する。
【００１６】
前記信号処理部は、前記較正部材と前記送信アンテナあるいは前記受信アンテナとの間の多重反射成分を時間軸上で抑制するように、前記較正受信データにゲート処理を施す時間領域のウィンドウ関数を備える、ことが好ましい。
【００１７】
本発明のさらに他の一態様はレーダ装置である。当該レーダ装置は、
送信アンテナが等間隔で複数配列し、電磁波を物体に向けて放射する送信用アレイアンテナと、
受信アンテナが、前記送信用アレイアンテナの配列方向に沿って前記等間隔で複数配列し、かつ前記送信アンテナに対して前記等間隔の半分だけ位置ずれし、前記物体から反射した電磁波を受信する受信用アレイアンテナと、
前記複数の送信アンテナによる前記物体に向けた送信と、前記複数の受信アンテナによる受信により得られる複数の受信データを用いて前記物体に関する３次元画像データを取得する信号処理部と、
前記３次元画像データを用いて３次元画像を生成する画像表示部と、
較正部材を前記物体として、前記送信用アレイアンテナによる前記較正部材に向けた送信と、前記受信用アレイアンテナによる受信とを行なうことにより得られる、前記送信アンテナと前記受信アンテナの全ての組み合わせに対応した較正用の受信データであって、前記送信アンテナそれぞれの送信周波数特性と前記受信アンテナそれぞれの受信周波数特性と、前記電磁波の反射信号を含んだ較正受信データの群を記憶する第１記憶部と、
測定対象物を前記物体として、前記送信用アレイアンテナによる前記測定対象物に向けた送信と、前記受信用アレイアンテナによる受信とを行うことにより得られる、前記送信アンテナと前記受信アンテナの全ての組み合わせに対応した測定用の受信データであって、前記送信アンテナの送信周波数特性と前記受信アンテナの受信周波数特性と、前記電磁波の反射信号を含んだ測定受信データの群を記憶する第２記憶部と、を有し、
前記信号処理部は、
前記送信アンテナ及び前記受信アンテナのうち、最も配置位置の近い送信アンテナと受信アンテナの近接ペアの１つを基準ペアとし、前記基準ペアにおける前記電磁波の反射信号と、前記送信アンテナと前記受信アンテナの全ての組み合わせに対応した前記送信周波数特性及び前記受信周波数特性のそれぞれと、を含んだ較正データを、前記較正受信データから作成する第１部分と、
前記測定受信データから、前記較正データを用いて、前記基準ペアにおける前記送信周波数特性及び前記受信周波数特性を除去することにより、前記測定受信データを較正する第２部分と、を有し、
前記第１部分は、前記受信アンテナ及び前記送信アンテナのそれぞれを、前記受信アンテナＲｉ（ｉは１以上Ｎ以下の自然数であり、Ｎは２以上の自然数）及び前記送信アンテナＴｊ（ｊは１以上Ｎ以下の自然数）で表し、前記較正受信データをＰ’ijとしたとき、前記受信アンテナＲｉ及び前記送信アンテナＴjの組み合わせにおける前記較正データＰ”ijを、下記（ａ）〜（ｃ）に従がって作成し、前記（ａ）〜（ｃ）は、
(ａ)ｉ＋１＜ｊのとき、Ｐ”ij ={Ｐ’i(i+1)・Ｐ’(i+1)(i+2)・…・Ｐ’(j-1)j}／｛Ｐ’(i+1)(i+1)・Ｐ’(i+2)(i+2)・…・Ｐ’(j-1)(j-1）｝、
（ｂ）ｉ＋１＝ｊあるいはｉ＝ｊのとき、Ｐ”ij =Ｐ’ij、
（ｃ）ｉ＞ｊのとき、Ｐ”ij ={Ｐ’jj・Ｐ’(j+1)(j+1)・…・Ｐ’ii}／｛Ｐ’j(j+1)・Ｐ’(j+1)(j+2)・…・Ｐ’(i-1)i｝
である。
【００１８】
前記レーダ装置に対して、前記測定対象物は相対的に移動し、
前記送信アンテナの配列方向及び前記受信アンテナの配列方向は、前記測定対象物の相対的な移動方向に対して直交する方向である、ことが好ましい。
【発明の効果】
【００１９】
上述の受信データの較正方法及びレーダ装置によれば、広い空間を用いて較正部材を計測することなく、測定対象物で反射した電磁波の信号をＳ／Ｎ比を低下させることなく算出ることができる。
【図面の簡単な説明】
【００２０】
【図１】本実施形態のレーダ装置の一例のブロック構成図である。
【図２】本実施形態で行なう較正受信データの取得を示す図である。
【図３】本実施形態で用いる、較正部材あるいは測定対象部材である物体と、送信アンテナの送信と受信アンテナの受信を説明する図である。
【図４】（ａ）は、本実施形態の受信アンテナで受信した受信信号の時間波形の一例を示す図であり、（ｂ）は、本実施形態の差分処理を行うことにより、受信信号からアンテナ間結合信号を除去した時間波形の一例を示す図である。
【図５】（ａ）は、本実施形態の受信アンテナで受信した、多重反射成分を含んだ受信信号の時間波形の一例を示す図であり、（ｂ）は、本実施形態の差分処理を行うとともに、ゲート処理を行った時間波形の一例を示す図である。
【発明を実施するための形態】
【００２１】
図１は、本実施形態のレーダ装置の一例の構成を示す図である。
レーダ装置６０は、送信用アレイアンテナ５０と受信用アレイアンテナ５２と高周波スイッチ５８，５９と、高周波回路６２と、システム制御回路６４と、信号処理部６６と、画像表示部６８と、を有する。レーダ装置６０は、１０ＭＨｚ以上、例えば１０〜２０ＧＨｚの電磁波を放射するが、電磁波の周波数は、特に制限されない。
すなわち、レーダ装置６０は、送信アンテナ１０ａが複数配列し、電磁波を物体に向けて放射する送信用アレイアンテナ５０と、受信アンテナ１０ｂが複数配列し、物体から反射した電磁波を受信する受信用アレイアンテナ５２と、送信用アレイアンテナ５０の複数の送信アンテナ１０ａによる物体に向けた送信と、受信用アレイアンテナ５２の複数の受信アンテナ１０ｂによる受信とを行なうことによって得られる複数の測定受信データを較正することにより、物体に関する３次元画像信号を取得する信号処理部６６と、を含む。本実施形態の送信アンテナ１０ａ及び受信アンテナ１０ｂは、基板に平面的にアンテナパターンが形成された平面アンテナであるが、平面アンテナに制限されない。
【００２２】
送信用アレイアンテナ５０及び受信用アレイアンテナ５２は、測定対象物等の物体に対して平面上を移動するように構成されている。平面上を移動するとき、システム制御回路６４は、送信用アレイアンテナ５０及び受信用アレイアンテナ５２の移動距離の単位長さ毎に、送信用アレイアンテナ５０の送信アンテナ１０を高周波スイッチ５８により切り替えつつ、電磁波を放射するように、高周波回路６２の動作を制御する。送信用アレイアンテナ５０及び受信用アレイアンテナ５２の移動は、送信用アレイアンテナ５０及び受信用アレイアンテナ５２が設けられる基板に一体的に設けられ、一定の移動距離ごとに信号を発生するエンコーダ６９によって感知される。このとき、個々の送信アンテナ１０ａから電磁波の放射が行われる度に複数の受信アンテナ１０ｂを順次切り替えて各受信アンテナ１０ｂに受信させることを、高周波スイッチ５９により繰り返す。
なお、送信用アレイアンテナ５０から放射される電磁波は、一定の時間に、例えば１０〜２０ＧＨｚの範囲で高周波スイープして放射される。したがって、高周波回路６２からから得られる受信信号は、周波数帯域の信号である。
このとき、送信アンテナ１０ａから放射された電磁波が物体で反射したときの電磁波の反射波を、複数の受信アンテナ１０ｂで受信する。受信用マイクロ波増幅器（ＲＦアンプ）は、送信する送信アンテナ１０ａと受信する受信アンテナ１０ｂの対毎にゲインを変化させるように設定しておく。送信アンテナ１０ａと受信アンテナ１０ｂの対の選択に応じてゲインを切り替える可変ゲイン増幅機能を有し、物体中の欠陥等の検査可能な深度を大きくすることもできる。
【００２３】
信号処理部６６は、送信用アレイアンテナ５０及び受信用アレイアンテナ５２による電磁波の送受信によって得られる受信データを較正して、測定対象物内部の３次元画像データを作成する。信号処理部６６は、例えばコンピュータにより構成され、記憶部に記憶されているプログラムを呼び出して起動することにより、信号処理部６６の機能を発揮することができる。すなわち、信号処理部６６は、ソフトウェアモジュールで構成することができる。作成された３次元画像データを用いて、測定対象物の画像が画像表示部６８にて表示される。
【００２４】
ここで、本実施形態の信号処理部６６で行う受信データの較正方法を具体的に説明する。
本実施形態の較正方法は、コンクリートや木材等の非金属の測定対象物に電磁波を照射して、そのとき測定対象物で反射した電磁波の反射波を受信することにより測定受信データを取得するとともに、非金属の較正部材に電磁波を放射して、そのとき較正部材で反射した反射波を受信することにより較正受信データを取得する。取得した測定受信データ及び較正受信データは、信号処理部６６に設けられた記憶部６６ａに記憶される。
【００２５】
図２は、較正部材８０に対して、図１に示すレーダ装置６０を用いて電磁波の送受信をすることにより較正受信データを取得する様子を示す図である。図２に示すように、送信用アレイアンテナ５０は、電磁波を較正部材８０等の物体に放射する、等間隔で複数配列した送信アンテナ１０ａを含む。受信用アレイアンテナ５２は、物体で反射した電磁波を受信する、送信アンテナ１０ａの配列方向に沿って等間隔で配列し、かつ送信アンテナ１０ａに対して等間隔の半分だけ位置ずれしている受信アンテナ１０ｂを含む。そして、送信用アレイアンテナ５０及び受信用アレイアンテナ５２のアンテナの配列方向は、較正部材８０の長手方向に沿った方向である。図２では、わかりやすくするために、送信用アレイアンテナ５０と受信用アレイアンテナ５２のみを示している。
なお、較正部材８０を計測対象とする場合、送信用アレイアンテナ５９及び受信用アレイアンテナ５２を含むレーダ装置６０と較正部材８０は相対的に静止しているが、測定対象物を計測対象とする場合、レーダ装置６０に対して、測定対象物は相対的に移動し、送信アンテナの配列方向及び受信アンテナの配列方向は、測定対象物の相対的な移動方向に対して直交する方向であることが好ましい。
【００２６】
図３は、較正部材８０あるいは測定対象部材である物体８２と、送信アンテナ１０ａの送信と受信アンテナ１０ｂの受信を説明する図である。図３では、送信アンテナ１０ａを４つ、受信アンテナ１０ｂを４つ備える構成であるが、送信アンテナ１０ａ及び受信アンテナ１０ｂの数は限定されない。送信アンテナ１０ａは、図中の左側から順にＴ１、Ｔ２、Ｔ３、Ｔ４と表し、受信アンテナ１０ｂは、図中の左側から順にＲ１、Ｒ２、Ｒ３、Ｒ４と表している。このとき、受信アンテナＲｉ（ｉ＝１〜４の自然数）が、送信アンテナＴｊ（ｊ＝１〜４の自然数）から放射した電磁波を受信する受信信号Ｘij(k)は、以下のように表される。
（受信信号Ｘij(k)）＝（受信アンテナＲｉの周波数特性）×［高周波スイッチ（受信用）の周波数特性］×（アンテナ間結合信号＋物体の反射信号）×［高周波回路６２内の周波数特性］×［高周波スイッチ（送信用）の周波数特性］×（送信アンテナＴｊの周波数特性）で表される。受信信号Ｘij(k)は、具体的には、下記式（１）で表される。アンテナ間結合信号とは、送信アンテナ１０ａから放射された電磁波が物体で反射することなく、受信アンテナ１０ｂで直接受信される信号をいう。
【００２７】
0006524490.tif 000002
本実施形態では、式（１）に示すように、高周波回路６２から周波数領域の受信信号が出力される。本明細書では、周波数領域の受信信号を波数ｋの関数として表している。
受信信号Ｘij(k)は、式（１）に示すように、各送受信アンテナの個別の特性を含んでいるため、受信信号Ｘij(k)に送信アンテナ、受信アンテナの組み合わせ毎のばらつきが生じる。また、送信アンテナと受信アンテナ間で直接送受される不要な直接波も含んでいる。
【００２８】
本実施形態の較正方法は、受信信号から反射信号ｒ(k)・ｅikLijを求める方法である。
すなわち、本明細書でいう較正とは、受信信号Ｘij(k)から送信アンテナの周波数特性、受信アンテナの周波数特性、高周波スイッチ（送信用、受信用）の周波数特性、高周波回路６２内の周波数特性、及びアンテナ間結合信号を除去し、測定対象物の反射信号を算出することをいう。
【００２９】
ここで、較正部材８０を用いて得られる受信信号Ｐij(k)は、下記式（２）で表される。
【００３０】
0006524490.tif 000003
ここで、ｒcalij(k)は、較正部材８０からの反射信号の強度であり、Ｌcalijは、送信アンテナから較正部材８０を経て受信アンテナまでの電磁波の伝播距離であり、送信アンテナと較正部材８０との間の伝播距離と較正部材８０と受信する受信アンテナとの間の伝播距離の合計である。
【００３１】
一方、物体８２を用いずに、送信アンテナ１０ａによる送信と受信アンテナ１０ｂによる受信により得られる受信信号Ｑij(k)は、下記式（３）で表される。
【００３２】
0006524490.tif 000004
【００３３】
0006524490.tif 000005
【００３４】
0006524490.tif 000006
【００３５】
0006524490.tif 000007
【００３６】
上記式（４）の最終行の式において、規格化定数Ｕij(k)は、ｒcalij(k)の逆数であり、ｒcalij(k)は、送信アンテナＴｊと受信アンテナＲiとの組み合わせによって定まるものであり、ｒcalij(k)は、電磁波の輻射減衰、送信アンテナ、受信アンテナの指向性、較正部材からの反射率の反射角特性を含む関数である。この関数は理論的に求めることはできない。このため、従来は、送信アンテナＴｊと受信アンテナＲiとの組み合わせにおいて、電磁波の輻射減衰、アンテナの指向性、較正部材８０からの反射率の反射角特性の違いがほとんどなくなるように、送信用アレイアンテナ及び受信用アレイアンテナから較正部材８０までの離間距離を長くして較正部材８０の計測を行う必要があった。このため、較正部材８０からの反射波が輻射減衰により大きく低下しＳ／Ｎ比が低下していた。
本実施形態では、Ｕij(k)の代わりに、送信アンテナＴｊと受信アンテナＲiとの組み合わせに依存しない規格化定数であって、送信アンテナＴｊの周波数特性を含んだ送信周波数特性係数Ａj（ｋ）及び受信アンテナＲiの周波数特性を含んだ受信周波数特性係数Ｂi（ｋ）を受信データＸij(k)から除去する規格化定数Ｕ(k)を用いて、測定対象物で反射した反射信号を求めることができる。
【００３７】
本実施形態の較正方法では、送信アンテナＴｊ（ｊ＝１〜Ｎの自然数）の送信周波数特性係数をＡjとし、受信アンテナＲi（i＝１〜Ｎの自然数）の受信周波数特性係数をＢiとして記載する。Ｎは、送信アンテナ１０ａの総数であり、また受信アンテナ１０ｂの総数である。本実施形態の較正方法においても、較正部材８０が有る場合の受信信号Ｐij(k)と較正部材８０が無い場合の受信信号Ｑij(k)の計測を行った後、受信信号Ｐij(k)と受信信号Ｑij(k)の差処理を行って較正受信データＰ’ij（k）を得た後、この較正受信データＰ’ij（k）を用いて、較正行列の作成を行う。この後、実際の測定対象物における受信信号Ｘij(k)の計測を行い、受信信号Ｘij(k)と受信信号Ｑij(k)の差処理を行って測定受信データＸ’ij（k）を得た後、この測定受信データＸ’ij（k）を較正行列を用いて処理をする。
【００３８】
まず、下記式（５）に示すように、φijを定めると、較正部材８０によって得られる較正受信データＰ’ij（以降、Ｐ’ij（k）をＰ’ijとも記載する）は、下記式（６）で表される。
【００３９】
0006524490.tif 000008
【００４０】
0006524490.tif 000009
【００４１】
この時、送信アンテナ１０ａと受信アンテナ１０ｂのレイアウトから決まる電磁波の伝搬の対称性から下記式（７）の関係を得ることができる。
【００４２】
0006524490.tif 000010
【００４３】
式（７）で式（６）を書き換えると式（６）は下記式（８）のように表すことができる。
【００４４】
0006524490.tif 000011
【００４５】
式（８）から対角要素及びその対角要素に隣接した赤い線で囲んだ要素を用いて、下記式（９）の計算を行ない、計算結果を行列要素とする較正行列（式（１０)）を作成することができる。この較正行列の各要素が較正データＰ”ijである。例として、較正データＰ”ijのいくつかの算出方法を式(１１)式に示す。式（１１）に示すように、較正受信データＰ’ijを用いて演算することにより較正データＰ”ijを算出することができる。式（１０）に示されるように、較正データＰ”ijは、Φ1に、送信周波数特性Ａjと、受信周波数特性Ｂiとを掛け算した結果である。
【００４６】
0006524490.tif 000012
【００４７】
0006524490.tif 000013
【００４８】
0006524490.tif 000014
【００４９】
式（１０）に示す較正データＰ”ijを用いれば、下記式（１２）の計算によって測定受信データＸ’ijの較正をすることができる。すなわち、本較正方法では、式（１２）の最初の行の右辺に示すように、この右辺の分子の測定受信データＸ’ij(＝Ｂi×ｒijｅｉｋＬｉｊ×Ａj)を、同じｉ，ｊに対応する較正データＢi×Φ1×Ａjで割り算することにより、ＢiとＡjが除去され、その結果、分母に一定の値であるΦ1のみが残る。これにより、測定受信データＸ’ijが較正される。
【００５０】
0006524490.tif 000015
【００５１】
式（１２）中の規格化定数Ｕ（ｋ）は、１／ｒcal11（ｋ）で、i、jによって変化しない値である。
測定受信データＸ’ijから、較正データＰ”ijを用いて、測定受信データＸ’ijに含まれる送信周波数特性Ａi及び受信周波数特性Ｂjを除去することにより、送信アンテナＴiと受信アンテナＲjの全ての組み合わせに対応した電磁波の反射信号を算出することができる。式（１２）の第１行目の右辺では、φ11（＝Φ1）には、送信アンテナＴ１から較正部材８０を経由して受信アンテナＲ１までの電磁波の伝播距離のぶんだけ、位相が遅れているので、この位相遅れ成分を除去するために、式（１２）にｅikLcal11を掛け算する。
【００５２】
したがって、信号処理部６６では、測定受信データ及び較正受信データを取得した後、以下の処理（Ａ）、（Ｂ）を、較正方法として行う。
（Ａ）送信アンテナＴj及び受信アンテナＲiのうち、最も配置位置の近い送信アンテナと受信アンテナの近接ペアの１つを基準ペアとし（（本実施形態では送信アンテナＴ1と受信アンテナＲ1）、基準ペアにおける電磁波の反射信号Φ1と、送信アンテナと受信アンテナの全ての組み合わせに対応した送信周波数特性Ａj及び受信周波数特性Ｂiのそれぞれと、を含んだ較正データＰ”ijを、較正受信データＰ’ijから算出する。
（Ｂ）測定受信データＸ’ijから、算出した較正データＰ”ijを用いて、測定受信データＸ’ijに含まれる送信周波数特性Ａj及び受信周波数特性Ｂiを除去することにより、送信アンテナＴjと受信アンテナＲiの全ての組み合わせに対応した電磁波の反射信号を算出する。
したがって、信号処理部６６は、上記（Ａ）の処理を行う第１部分６６ｂ及び（Ｂ）の処理を行う第２部分６６ｃを備える。信号処理部６６は、測定受信データＸ’ijの較正結果を用いて、画像表示するための３次元画像データを作成する。
【００５３】
このように、本実施形態の較正方法では、較正受信データＰ’ijから作成される較正データＰ”ijを用いることにより、式（１２）の最下行の式に示されるように、ｉ，ｊに依存しない（送信アンテナ及び受信アンテナの組み合わせに依存しない）規格化定数Ｕ（ｋ）を得ることができる。このため、従来のように、広い空間内で、送信アレイアンテナ及び受信アレイアンテナと較正部材８０との間の離間距離を長くして較正部材を計測することにより較正受信データＰ’ijを得ることが必要なく、送信アレイアンテナ及び受信アレイアンテナと較正部材８０との間の離間距離を短くして較正部材８０を用いて較正受信データＰ’ijを得ることができる。このため、測定対象物で反射した電磁波の信号をＳ／Ｎ比を低下させることなく算出ることができる。
本実施形態の較正方法では、較正部材８０の、送信用アレイアンテナ５０及び受信用アレイアンテナ５２から離間させて配置する離間距離Ｚｃａｌ（図２参照）は、送信用アレイアンテナ５０及び受信用アレイアンテナ５２の全幅Ｓａｎｔ（図２参照）に比べて短い、ことが好ましい。離間距離Ｚｃａｌは、全幅Ｓａｎｔの５０％以下であることがより好ましい。
【００５４】
この場合、基準ペアを送信アンテナＴ1及び受信アンテナＲ1としたとき、受信アンテナＲｉ及び送信アンテナＴjの組み合わせにおける較正データＰ’’ijは、較正受信データをＰ’ijとしたとき、
（ａ）ｉ＋１＜ｊのとき、Ｐ’ij＝{Ｐ’i(i+1)・Ｐ’(i+1)(i+2)・…・Ｐ’(j-1)j}／｛Ｐ’(i+1)(i+1)・Ｐ’(i+2)(i+2)・…・Ｐ’(j-1)(j-1）｝であり、
（ｂ）ｉ＋１＝ｊあるいはｉ＝ｊのとき、Ｐ’ij＝Ｐ’ijであり、
（ｃ）ｉ＞ｊのとき、Ｐ’ij＝{Ｐ’jj・Ｐ’(j+1)(j+1)・…・Ｐ’ii}／｛Ｐ’j(j+1)・Ｐ’(j+1)(j+2)・…・Ｐ’(i-1)i｝である、ことが好ましい。
【００５５】
上述の本実施形態の較正方法では、式（９）に示すように、iとｊの差が小さくなる程、較正行列の要素（較正データ）を求めるために行なう掛け算の処理回数は少なくなる。このため、本実施形態の較正方法では、送信アンテナＴiと受信アンテナＲjが互いに近くにある組み合わせの要素ほど、処理の回数によって蓄積されるノイズ成分は少なくなり、かつ、信号強度は大きくなる。このため、較正結果を画像化する場合、信号強度の大きな部分にノイズ成分が含まれにくくすることができ、この点から、本実施形態の較正方法は好ましい。
【００５６】
本実施形態の較正方法では、測定受信データ及び較正受信データは、送信アンテナ１０ａの放射した電磁波を物体の反射を経ることなく直接受信アンテナ１０ｂで受信することにより得られるアンテナ間結合信号を、受信用アレイアンテナから得られる受信信号から除去したデータであるが、必ずしも、アンテナ間結合信号を除去しなくてもよい。しかし、精度の高い較正を行なう点から、測定受信データ及び較正受信データは、アンテナ間結合信号を、受信用アレイアンテナから得られる受信信号から除去したデータであることが好ましい。したがって、本実施形態の較正方法では、測定対象物あるいは較正部材等の物体を設けることなく、送信用アレイアンテナ５０の送信及び受信用アレイアンテナ５２の受信を行なうことにより、アンテナ間結合信号を得るステップを含むことが好ましい。
【００５７】
図４（ａ）は、ある受信アンテナ１０ｂで受信した受信信号の時間波形の一例を示す図であり、図４（ｂ）は、上述した式（１）から式（３）を差し引く差分処理を行うことにより、受信信号からアンテナ間結合信号を除去した時間波形の一例を示す図である。
図４（ａ）に示すように、送信周波数特性及び受信周波数特性を含んだアンテナ間結合信号は、送信周波数特性及び受信周波数特性を含んだ反射信号に比べて信号強度が大きいので、送信周波数特性及び受信周波数特性を含んだ反射信号のＳ／Ｎ比は低い。このため、送信周波数特性及び受信周波数特性を含んだアンテナ間結合信号を除去する差分処理を行うことで、送信周波数特性及び受信周波数特性を含んだ反射信号を強調することができる。
【００５８】
また、較正受信データは、較正部材８０と送信アンテナ１０ａあるいは受信アンテナ１０ｂとの間の多重反射成分を、時間領域のウィンドウ関数を用いて時間軸上で抑制するゲート処理を施したデータであることが好ましい。これにより、多重反射成分が較正受信データ内に含まれることを抑制できるので、精度の高い較正、さらには、測定対象物の画像化を行うことができる。
【００５９】
図５（ａ）は、ある受信アンテナ１０ｂで受信した、多重反射成分を含んだ受信信号の時間波形の一例を示す図であり、図５（ｂ）は、上述した式（１）から式（３）を差し引く差分処理を行うとともに、ゲート処理を行った時間波形の一例を示す図である。ゲート処理では、多重反射成分を含む時間波形をウィンドウ関数の各値と反射信号の値を乗算して、多重反射成分を除去する。受信信号内の、較正部材８０で１回反射した反射信号の発生位置は、較正部材８０を経由した送信アンテナ１０ａから受信アンテナ１０ｂまでの伝送経路の距離によって略特定でき、較正部材８０で電磁波が２回反射する多重反射成分の発生位置も略特定できるので、較正部材８０で１回反射した反射信号の発生位置において値が最大となり、多重反射成分の発生位置において値が略０になる時間領域のウィンドウ関数を作成することができる。ウィンドウ関数の形状は特に制限はないが、例えば、較正部材８０で１回反射した反射信号の発生位置で値が最大となり、多重反射成分の発生位置で略０になる正弦波形を用いることができる。図５（ｂ）に示す例では、ｓｉｎ波形の自乗関数をウィンドウ関数として用いて反射信号を強調し、多重反射成分を除去することができる。
【００６０】
なお、レーダ装置６０の高周波回路６２では、受信信号は周波数領域のデータとして出力されるので、受信信号に基づいて得られる較正受信データも周波数領域のデータである。このため信号処理部６６は、周波数領域の較正受信データにフーリエ変換を行って時間領域上の時間波形に変換する。このとき、変換した時間波形には、負の周波数に対応する時間波形成分が含まれているので、信号処理部６６は、この時間波形成分を除去する。具体的には、信号処理部６６は、時間波形の総データ数の半分以降の、負の周波数に対応する時間波形のデータを強制的に０にする。このとき、信号処理部６６は、上述したウィンドウ関数を用いたゲート処理を行う。ゲート処理後、逆フーリエ変換を行って周波数領域の較正受信データに戻す。こうして、波数ｋを関数とする較正受信データを得ることができる。
【００６１】
一方、測定受信データのもとの信号である受信信号も、レーダ装置６０の高周波回路６２から、周波数領域のデータとして出力されるので、受信信号に基づいて得られる測定受信データも周波数領域のデータである。このため信号処理部６６は、測定受信データにフーリエ変換を行って時間領域上の時間波形に変換する。この時間波形の総データ数の半分以降の、負の周波数に対応する時間波形のデータを強制的に０にして、負の周波数を除去する。このとき、信号処理部６６は、較正受信データと異なり、ウィンドウ関数を用いたゲート処理は行わない。この後、信号処理部６６は、測定受信データに逆フーリエ変換を行って周波数領域の較正受信データに戻す。こうして、波数ｋを関数とする測定受信データを得ることができる。すなわち、測定受信データでは、多重反射成分を含めて較正される。較正受信データにおいて、多重反射成分を除去するのは、較正受信データは、測定受信データを較正するために用いるデータであるので、較正受信データに含まれる多重反射成分が、較正時、余分なノイズとして較正結果に影響を与えることを抑制するためである。
【００６２】
本実施形態の較正方法では、上述したように、測定受信データを較正するとき、基準ペアの送信アンテナから較正部材を経て受信アンテナまでの電磁波の伝播距離によって生じる電磁波の位相遅れ成分を除去することが、精度の高い較正を行なう点で好ましい。
【００６３】
以上、本発明のレーダ装置における受信データの較正方法及びレーダ装置について詳細に説明したが、本発明は上記実施形態及び実施例に限定されず、本発明の主旨を逸脱しない範囲において、種々の改良や変更をしてもよいのはもちろんである。
【符号の説明】
【００６４】
１０ａ  送信アンテナ
１０ｂ  受信アンテナ
５０  送信用アンテナアレイ
５２  受信用アンテナアレイ
５８，５９  高周波スイッチ
６０  レーダ装置
６２  高周波回路
６４  システム制御回路
６６  信号処理部
６６ａ  記憶部
６６ｂ  第１部分
６６ｃ  第２部分
６６ｄ  第３部分
６６ｅ  第４部分
６６ｆ  第５部分
６８  画像表示部
６９  エンコーダ
【図１】
0006524490.tif 000016
【図２】
0006524490.tif 000017
【図３】
0006524490.tif 000018
【図４】
0006524490.tif 000019
【図５】
0006524490.tif 000020